(57)【特許請求の範囲】
【請求項１】
円筒型に成形された本体部の内部にヒューズ管を内蔵する円筒型カットアウトの下部開口近傍と閉止蓋とを連結する紐の端部を，前記下部開口近傍に固定するための閉止蓋連結紐取付けアタッチメントであって、
この閉止蓋連結紐取付けアタッチメントは，前記下部開口近傍に形成される紐挿通孔に挿通される軸部と、
この軸部の一の端部に設けられて，可撓材性を有し，前記紐挿通孔の開口部に掛止して前記紐挿通孔からの前記軸部の抜け落ちを防止する掛止構造と、
前記軸部の他の端部，又は，その近傍に設けられ，前記軸部の軸方向垂直断面径よりも大きい軸方向垂直断面径を有する紐固定部とを有することを特徴とする閉止蓋連結紐取付けアタッチメント。
【請求項２】
前記掛止構造は、前記紐挿通孔に挿入した際に，前記紐挿通孔の内壁と接触して押圧されて，その軸方向垂直断面径が縮径し、前記紐挿通孔の通過後に，前記軸方向垂直断面径が復元する返り部であることを特徴とする請求項１に記載の閉止蓋連結紐取付けアタッチメント。
【請求項３】
前記紐固定部は、環状体であることを特徴とする請求項１又は請求項２に記載の閉止蓋連結紐取付けアタッチメント。
【請求項４】
前記閉止蓋連結紐取付けアタッチメントは、合成樹脂製であることを特徴とする請求項１乃至請求項３のいずれか１項に記載の閉止蓋連結紐取付けアタッチメント。
【請求項５】
円筒型に成形された本体部の内部にヒューズ管を内蔵する円筒型カットアウトにおける閉止蓋連結紐の取付け構造であって、
前記円筒型カットアウトの下部開口近傍に形成される紐挿通孔に，請求項１乃至請求項４のいずれか１項に記載の閉止蓋連結紐取付けアタッチメントの前記軸部を挿通して前記掛止構造により固定し，この閉止蓋連結紐取付けアタッチメントの前記紐固定部又はその近傍に，前記閉止蓋を備えた紐を固定することを特徴とする閉止蓋連結紐の取付け構造。
【請求項６】
円筒型に成形された本体部の内部にヒューズ管を内蔵する円筒型カットアウトの下部開口近傍に形成される紐挿通孔から，取り付けられている紐，又は，取り付けられている請求項１乃至請求項４のいずれか１項に記載の閉止蓋連結紐取付けアタッチメントを除去した後に、
閉止蓋を備えた交換用の紐が固定された，交換用の請求項１乃至請求項４のいずれか１項に記載の閉止蓋連結紐取付けアタッチメントの軸部を，前記紐挿通孔に挿通させて，前記円筒型カットアウトの前記下部開口近傍に間接的に前記交換用の紐を取り付けることを特徴とする閉止蓋連結紐の交換方法。
【発明の詳細な説明】
【技術分野】
【０００１】
本発明は、円筒型状に成形された本体部の内部にヒューズ管を内蔵する円筒型カットアウトの下部開口近傍と閉止蓋とを連結する紐の端部を、紐挿通用孔に固定するための閉止蓋連結紐取付けアタッチメントおよびそれを用いた閉止蓋連結紐の取付け構造および閉止蓋連結紐の交換方法に関する。
【背景技術】
【０００２】
従来、電柱などの高所には、商用電源から各家庭の負荷装置に電力供給するために変圧器が設置されるとともに、負荷装置側に異常電流が流れ込まないようにヒューズを内蔵するカットアウトが介在するように設置されている。
この種のカットアウトとしては、全体を概略円筒型に成形されているものがあり、円筒型の底側に開口するヒューズ筒用の挿入口を閉止蓋で開閉できる構造になっている。
【０００３】
ここで、従来公知の円筒型カットアウトの構造を、図５，６を参照しながら説明する。
図５（ａ）は従来技術に係る円筒型カットアウトの断面図であり、（ｂ）は図５中の符号Ｅで示す方向から見た矢視図である。また、図６（ａ）は別の従来技術に係る円筒型カットアウトの側面図であり、（ｂ）は図６中のＦ−Ｆ線断面図である。
図５，６に示すように従来公知の円筒型カットアウト９Ａ，９Ｂは、円筒型に成形されてなる磁器製の本体部１０ａ，１０ｂ内に内蔵されるヒューズ管１１ａ，１１ｂを介して、商用電源側の電線から分岐させた電線１６ａ，１６ｂを、負荷装置側の電線１７ａ，１７ｂに導通接続するものである。
このような従来公知の円筒型カットアウト９Ａ，９Ｂでは、本体部１０ａ，１０ｂの下部開口１２ａ，１２ｂからヒューズ管１１ａ，１１ｂを挿脱することができる。また、この下部開口１２ａ，１２ｂは、閉止蓋１３ａ，１３ｂにより閉止できる構造になっている。
さらに、通常この閉止蓋１３ａ，１３ｂは、紐１４ａ，１４ｂにより本体部１０ａ，１０ｂの下部開口１２ａ，１２ｂ近傍に連結されていて、閉止蓋１３ａ，１３ｂが外れた際に紛失することがないようになっている。
【０００４】
このような従来公知の円筒型カットアウト９Ａ，９Ｂでは、大電流遮断時に、何らかの手段にて（例えば、ヒューズ管１１ａ，１１ｂからの放出圧力や、ヒューズ管１１ａ，１１ｂ自体の垂下等）により、閉止蓋１３ａ，１３ｂが外れることで、作業者に大電流遮断が起きたことを知らせる仕組みになっている。
従って作業者は、円筒型カットアウト９Ａ，９Ｂの保守点検時に、本体部１０ａ，１０ｂから、閉止蓋１３ａ，１３ｂが外れているか否かを確認することで容易に円筒型カットアウト９Ａ，９Ｂに大電流遮断が起こったか否かを判断することができる。
【０００５】
その一方で、この閉止蓋１３ａ，１３ｂは、大電流遮断が起こっていない場合でも意図せず外れてしまうことがある。
さらに、場合によっては、何らかの原因で本体部１０ａ，１０ｂの下部開口１２ａ，１２ｂと閉止蓋１３ａ，１３ｂとを連結する紐１４ａ，１４ｂが切れてしまい、閉止蓋１３ａ，１３ｂを逸失してしまう場合もある。
そして、本体部１０ａ，１０ｂの下部開口１２ａ，１２ｂから閉止蓋１３ａ，１３ｂが外れたままにしておくと、本体部１０ａ，１０ｂの内部に塩分が溜まるなどして、ヒューズ管１１ａ，１１ｂの破損や配線事故が起こる可能性が高まり、好ましくなかった。
【０００６】
そして、前者の場合のように下部開口１２ａ，１２ｂから単に閉止蓋１３ａ，１３ｂが外れているだけであれば、間接工具や専用の工具を用いて下部開口１２ａ，１２ｂを閉止蓋１３ａ，１３ｂで閉止すればよいが、後者の場合は、閉止蓋１３ａ，１３ｂを本体部１０ａ，１０ｂに新たに取り付ける必要があった。
この場合、間接工具では本体部１０ａ，１０ｂの下部開口１２ａ，１２ｂ近傍に閉止蓋１３ａ，１３ｂを備えた紐１４ａ，１４ｂの固定（緊縛）を行うことができないため、大掛かりな作業にはなるが、一時的に商用電源側の電線における配電を停止して、閉止蓋１３ａ，１３ｂを備えた紐１４ａ，１４ｂを交換するか、あるいは、円筒型カットアウト９Ａ，９Ｂそのものを交換する必要があった。
このように、閉止蓋１３ａ，１３ｂを逸失してしまった場合は、電力需要側への停電を伴う大掛かりな作業を行う必要があるだけでなく、場合によっては、円筒型カットアウト９Ａ，９Ｂそのものを交換する場合もあり、コストがかかる上、電力需要側にも大きな負担がかかるという課題があった。
本発明と同一の解決すべき課題を有する発明は現時点では発見されていないが、関連する技術分野の先行技術としては以下に示すような特許文献１が開示されている。
また、円筒型カットアウトの本体部に、閉止蓋を紐を用いて取設するという技術内容については、例えば、特開２０１１−９０９２２号公報、特開２００８−２４３６１４号公報、特開平１１−２２４５８８号公報などに開示されている。
【０００７】
特許文献１には「円筒形カットアウトの密閉蓋の取り付け構造並びに操作棒」という名称で、円筒形カットアウトの密閉蓋の連結紐による取り付け構造の改良と同取り付け構造に対処した操作棒の改良に関する発明が開示されている。
特許文献１に開示される円筒形カットアウトの密閉蓋の取り付け構造は、特許文献１中に記載される符号をそのまま用いて説明すると、本体（２）の下端に固着した下部カバー（４）と同カバーの開口部（４ａ）に対し取脱自在に挿着する密閉蓋（６）との間を連結紐（８）で連結するものにおいて、上記連結紐（８）の中間部を、上記下部カバー（４）に形成した連結孔（４ｃ）に挿通し、該連結孔（４ｃ）における上記密閉蓋（６）が連結された側と反対側へ引き出した連結紐（８）には、上記連結孔（４ｃ）の孔径より大きく且つ連結紐（８）の摺動を規制する緩衝部材（９）を挿通止着して、密閉蓋（６）と下部カバー（４）間の連結紐（８）の長さを短く設定し、さらに上記反対側へ引き出した連結紐（８）の他端側は途中で折り返して余長部分（８ｃ）を形成するとともにその折り返し状態を仮保持し、更に余長部分（８ｃ）の先端部には、上記緩衝部材（９）より紐が抜けないようにする抜け止め部を設けたことを特徴とするものである。
上記構成の特許文献１に開示される発明によれば、密閉蓋と下部カバー間を連結する連結紐の長さが常時は同蓋の挿着に差し支えない程度に極力短く設定されているため、密閉蓋を閉じる場合の密閉蓋の開口支点が下部カバーに近くなり、丁度、密閉蓋を蝶番式で開閉する方式と同様の方法で閉蓋でき、従来のように長い紐で密閉蓋がぶらつくものに比べて操作棒による密閉蓋の挿着操作性が向上する。また、上記の如く常時は連結紐が短い状態にあるため風等による揺れが小さくなり、同紐の腕金等の接地側部材に対する接触が無くなり、したがって連結紐を介して漏洩電流が流れず、連結紐の焼損による切断事故が防止できる。さらに、常時は連結紐が短い状態にあるため、同紐が風圧を受けにくくなり風による密閉蓋の不用意な落下事故が防止でき、更に紐への着雪による自然開蓋も防止できる。加えて、大電流遮断時に密閉蓋が下方に急激に吹き飛ばされる際に同蓋に縛着する連結紐が緩衝部材の摺動孔を摩擦しながら摺動して長く伸び、同蓋及び連結紐に加わる衝撃力を緩衝（吸収）するため、蓋の破損や紐の切断事故が防止できる。そして、大電流遮断発生後にカットアウトを点検する場合には連結紐の伸張具合（摺動した度合い）を見て電流値の大きさが推測できるため事故の様相や原因の追求に役立てることが可能になる。
【先行技術文献】
【特許文献】
【０００８】
【特許文献１】特開平９−２８２９９８号公報
【発明の概要】
【発明が解決しようとする課題】
【０００９】
上述の特許文献１に開示される発明は、密閉蓋（６）を取り付けるための連結紐（８）の取付け構造に関する発明であるという点では本発明と共通しているものの、特許文献１に開示される発明の場合も連結紐（８）が直接、本体（２）の開口部近傍である下部カバー（４）に取り付けられているため、本発明と同様の解決すべき課題を有していると考えられる。
【００１０】
本発明はかかる従来の事情に対処してなされたものでありその目的は、電線における配電を止めることなく、円筒型カットアウトの本体部の下部開口近傍に間接的に、例えば、ホットスティック等の間接工具を用いて容易に、閉止蓋を連結する紐を取付けることができる閉止蓋連結紐取付けアタッチメントおよびそれを用いた閉止蓋連結紐の取付け構造および閉止蓋連結紐の交換方法を提供することにある。
【課題を解決するための手段】
【００１１】
上記目的を達成するため請求項１記載の発明である閉止蓋連結紐取付けアタッチメントは、円筒型に成形された本体部の内部にヒューズ管を内蔵する円筒型カットアウトの下部開口近傍と閉止蓋とを連結する紐の端部を，下部開口近傍に固定するための閉止蓋連結紐取付けアタッチメントであって、この閉止蓋連結紐取付けアタッチメントは，下部開口近傍に形成される紐挿通孔に挿通される軸部と、この軸部の一の端部に設けられて，可撓性を有し，紐挿通孔の開口部に掛止して紐挿通孔からの軸部の抜け落ちを防止する掛止構造と、軸部の他の端部，又は，その近傍に設けられ，軸部の軸方向垂直断面径よりも大きい軸方向垂直断面径を有する紐固定部とを有することを特徴とするものである。
上記構成の請求項１記載の発明において、軸部は、閉止蓋を備えた紐を保持するという作用を有する。掛止構造は、円筒型カットアウトの紐挿通孔に軸部を掛着保持させるという作用を有する。さらに、紐固定部は、閉止蓋を備えた紐を軸部に緊縛して固定した際に、紐の緊縛部分から軸部が抜けるのを妨げて、軸部への紐の固定状態を維持させるという作用を有する。  また、請求項１記載の発明における掛止構造が可撓性を有することで、紐挿通孔への挿通時に、掛止構造を変形及び復元させるという作用を有する。
このような請求項１記載の発明によれば、電線における配電を停止することなく、円筒型カットアウトの紐挿通孔に間接的に、閉止蓋を備えた紐の端部を固定することを可能にするという作用を有する。
【００１２】
請求項２記載の発明である閉止蓋連結紐取付けアタッチメントは、請求項１に記載の発明であって、掛止構造は、紐挿通孔に挿入した際に，紐挿通孔の内壁と接触して押圧されて，その軸方向垂直断面径が縮径し、紐挿通孔の通過後に，軸方向垂直断面径が復元する返り部であることを特徴とするものである。
上記構成の請求項２記載の発明は、請求項１記載の発明と同じ作用に加えて、掛止構造である返り部は、円筒型カットアウトの紐挿通孔に挿入された際に、紐挿通孔の内壁と接触して押圧されてその軸方向垂直断面径が縮径する。そして、紐挿通孔を通過した後、返り部は、縮径状態から復元して、紐挿通用孔の開口部に掛着して、軸部が抜け落ちるのを妨げるという作用を有する。
【００１３】
請求項３記載の発明である閉止蓋連結紐取付けアタッチメントは、請求項１又は請求項２に記載の発明であって、紐固定部は、環状体であることを特徴とするものである。
上記構成の請求項３記載の発明は、請求項１又は請求項２に記載の発明と同じ作用を有する。また、紐固定部を環状体とすることで、軸部に閉止蓋を備えた紐の端部を緊縛して固定する場合に、紐の緊縛部分から軸部が抜けるのを妨げるという作用を有する。この時、紐の緊縛部分から垂下する紐を、環状体の中空部に挿通させておくことで、請求項３記載の発明における軸部と紐とを一直線状に配置できる。これにより、紐固定部と紐の接触による紐の損傷を起こり難くするという作用を有する。
また、紐固定部が環状体であるので、この環状体に直接紐を緊縛して固定することが可能になる。この場合、請求項３記載の発明にしっかりと紐を固定することを可能にするという作用を有する。
【００１４】
請求項４記載の発明である閉止蓋連結紐取付けアタッチメントは、請求項１乃至請求項３のいずれか１項に記載の発明であって、閉止蓋連結紐取付けアタッチメントは、合成樹脂製であることを特徴とするものである。
上記構成の請求項４記載の発明は、請求項１乃至請求項３のそれぞれに記載の発明と同じ作用に加えて、掛止構造に可撓性を付与しながら、請求項４記載の発明を成形加工により容易にかつ安価に量産することを可能にするという作用を有する。
【００１５】
請求項５記載の発明である閉止蓋連結紐の取付け構造は、円筒型に成形された本体部の内部にヒューズ管を内蔵する円筒型カットアウトにおける閉止蓋連結紐の取付け構造であって、円筒型カットアウトの下部開口近傍に形成される紐挿通孔に，請求項１乃至請求項４のいずれか１項に記載の閉止蓋連結紐取付けアタッチメントの軸部を挿通して掛止構造により固定し，この閉止蓋連結紐取付けアタッチメントの紐固定部又はその近傍に，閉止蓋を備えた紐を固定することを特徴とするものである。
上記構成の請求項５記載の発明において、閉止蓋連結紐取付けアタッチメントは、請求項１乃至請求項４のそれぞれの発明と同じ作用を有する。また、請求項１乃至請求項４のそれぞれの閉止蓋連結紐取付けアタッチメントは、円筒型カットアウトの紐挿通孔に間接的に、閉止蓋を備えた紐を固定するという作用を有する。
【００１６】
請求項６記載の発明である閉止蓋連結紐の交換方法は、円筒型に成形された本体部の内部にヒューズ管を内蔵する円筒型カットアウトの下部開口近傍に形成される紐挿通孔から，取り付けられている紐，又は，取り付けられている請求項１乃至請求項４のいずれか１項に記載の閉止蓋連結紐取付けアタッチメントを除去した後に、閉止蓋を備えた交換用の紐が固定された，交換用の請求項１乃至請求項４のいずれか１項に記載の閉止蓋連結紐取付けアタッチメントの軸部を，紐挿通孔に挿通させて，円筒型カットアウトの下部開口近傍に間接的に交換用の紐を取り付けることを特徴とするものである。
上記構成の請求項６記載の発明では、円筒型カットアウトの下部開口近傍から、取り付けられている既存の紐，又は，取り付けられている既存の請求項１乃至請求項４のいずれか１項に記載の閉止蓋連結紐取付けアタッチメントを除去する工程は、円筒型カットアウトを備えた電線において配電を停止することなく、既存の不要な紐を円筒型カットアウトから取り除くという作用を有する。
また、この後の閉止蓋を備えた交換用の紐が固定された、交換用の請求項１乃至請求項４のいずれか１項に記載の閉止蓋連結紐取付けアタッチメントの軸部を、紐挿通孔に挿通させて、円筒型カットアウトの下部開口近傍に間接的に交換用の紐を取り付ける工程は、円筒型カットアウトを備えた電線において配電を停止することなく、その円筒型カットアウトに、閉止蓋を備えた交換用の新たな紐を取り付けるという作用を有する。
すなわち、請求項６記載の発明によれば、電線における配電を止めることなく、円筒型カットアウトに取り付けられる閉止蓋連結紐を交換することを可能にするという作用を有する。
【発明の効果】
【００１７】
本発明の請求項１記載の発明によれば、円筒型カットアウトの下部開口近傍に、間接的に、閉止蓋を備えた紐の端部を固定することができる。
また、請求項１記載の発明は、通常の活線作業で使用する引下線カッターで切断することができ、さらに、円筒型カットアウトの紐挿通用孔に残った切断片は、間接工具であるヤットコ状のホットスティックで挟持して除去することができる。
従って、請求項１記載の発明を用いることで、電線における配電を停止することなく、円筒型カットアウトの下部開口近傍に、閉止蓋を備えた紐を取付けたり、除去することができる。
【００１８】
請求項２記載の発明は、請求項１記載の発明と同じ効果に加えて、掛止構造を返り部とすることで、円筒型カットアウトの紐挿通用孔に、この返り部を備えた軸部を挿入して、この返り部を紐挿通用孔から導出させるだけで、紐挿通用孔に請求項２記載の発明を固定することができる。
すなわち、間接工具であるホットスティックのみを用いて、電線における配電を停止することなく円筒型カットアウトに、１回の動作のみで閉止蓋を備えた紐を取り付けることができる。
【００１９】
請求項３記載の発明によれば、請求項１又は請求項２に記載の発明と同じ効果に加えて、紐固定部が環状体であるので、それ自体を、紐を緊縛して固定するための紐固定部材としても使用することができる。
また、閉止蓋を備えた紐の端部に環状構造を形成しておき、フック等の環状具を用いて請求項３記載の発明における環状体からなる紐固定部に、間接的に閉止蓋を備えた紐を取り付けることが可能になる。
よって、請求項３記載の発明によれば、閉止蓋を備えた紐の取付け方法のバリエーションを広げることができる。
また、請求項３記載の発明の場合、環状体からなる紐固定部と軸部の接続部分近傍に紐を緊縛し、さらに、この紐を環状体の中空部を挿通させて垂下させることで、風等による紐の揺動を抑制することができる。この場合、閉止蓋を備えた紐が損傷して破断するリスクを低減できる。
【００２０】
請求項４記載の発明によれば、請求項１乃至請求項３のそれぞれに記載される発明と同じ効果に加えて、請求項４記載の発明を安価に量産することができる。
また、請求項４記載の発明を絶縁体にしつつ、掛止構造に可撓性を付与することができる。
【００２１】
請求項５記載の発明によれば、電線において配電を停止することなく、円筒型カットアウトの紐挿通用孔に、間接的に閉止蓋を備えた紐を固定することができる。
また、請求項５記載の発明は、間接工具と請求項１乃至請求項４のいずれか１項に記載の発明とを用いて、円筒型カットアウトに容易に形成することができるので、電線における配電を停止することなしに、円筒型カットアウトの紐挿通用孔への紐の取り付けを行なうことが可能になる。これにより、円筒型カットアウトの閉止蓋を逸失した際に、そのメンテナンスのために、その円筒型カットアウトが設けられた電線における配電を停止させる必要がなくなる。
つまり、大電流遮断が起きていない円筒型カットアウトに、新たな閉止蓋を容易に取り付けることができるので、その円筒型カットアウト使用を継続することができる。よって、円筒型カットアウトの使用可能期間を長くすることができる。
この結果、円筒型カットアウトを備えた電線の保守点検にかかる作業の負荷やコストを大幅に削減できる。
【００２２】
請求項６記載の発明によれば、円筒型カットアウトを備えた電線において配電を停止することなく、その円筒型カットアウトに、新たに閉止用蓋を取付けたり、既存の閉止用蓋を、それを連結する紐ごと新しいものに取り換えることが可能になる。
しかもこの作業は、従来公知の間接工具である引下線カッターおよびホットスティックを用いて容易に行うことができる。これにより、円筒型カットアウトの閉止蓋を逸失した場合や、閉止蓋が破損した際に、停電を伴う大掛かりな作業を行う必要がなくなる。
つまり、閉止蓋が逸失又は破損してはいるものの、大電流遮断が起こっておらず継続使用が可能な円筒型カットアウトに対して、その電線における配電を停止することなく、新たな閉止蓋を取り付ける又は交換してそのまま使用することが可能になる。つまり、円筒型カットアウトの使用可能な期間が長くなる。
この結果、円筒型カットアウトを備えた電線を保守点検するために行なう停電の頻度を少なくできるだけでなく、円筒型カットアウトの交換頻度も少なくできる。これにより、円筒型カットアウトのメンテナンスにかかるコストを大幅に削減できる。
【図面の簡単な説明】
【００２３】
【図１】（ａ）本発明の実施例１に係る閉止蓋連結紐取付けアタッチメントの側面図である。（ｂ）図１中のＡ−Ａ線断面図である。
【図２】本発明の実施例１に係る閉止蓋連結紐取付けアタッチメントの使用状態を示す部分断面図である。
【図３】（ａ）本発明の実施例２に係る閉止蓋連結紐取付けアタッチメントの側面図である。（ｂ）図３中のＢ−Ｂ線断面図である。（ｃ）図３中の符号Ｃで示す方向から見た矢視図である。
【図４】（ａ）本発明の実施例３に係る閉止蓋連結紐取付けアタッチメントの側面図である。（ｂ）図４中のＤ−Ｄ線断面図である。
【図５】（ａ）従来技術に係る円筒型カットアウトの断面図である。（ｂ）図５中の符号Ｅで示す方向から見た矢視図である。
【図６】（ａ）別の従来技術に係る円筒型カットアウトの側面図である。（ｂ）図６中のＦ−Ｆ線断面図である。
【発明を実施するための形態】
【００２４】
本発明の実施の形態に係る閉止蓋連結紐取付けアタッチメントおよび閉止蓋連結紐の取付け構造および閉止蓋連結紐の交換方法について実施例１乃至実施例３を参照しながら説明する。
【実施例１】
【００２５】
本発明の実施例１に係閉止蓋連結紐取付けアタッチメント１Ａについて図１，２を参照しながら詳細に説明する。
図１（ａ）は本発明の実施例１に係る閉止蓋連結紐取付けアタッチメントの側面図であり、（ｂ）は図１中のＡ−Ａ線断面図である。
図１に示すように、実施例１に係る閉止蓋連結紐取付けアタッチメント１Ａは、細長棒状の軸部２の一の端部２ａ側に、軸部２を貫通孔に挿通させた際に、この貫通孔の開口部に掛止して軸部２の抜けを防止する掛止構造３を備えるとともに、軸部２の他の端部２ｂに、軸部２の軸方向垂直断面径Ｑよりも大きい軸方向垂直断面径Ｒを有する紐固定部４を備えるものである。
また、実施例１に係る閉止蓋連結紐取付けアタッチメント１Ａにおける掛止構造３は、可撓性を有する部材が、軸部２の周側面に放射状に複数突設されて、傘状の返り部５ａが形成されてなるものである。
この返り部５ａは、貫通孔に挿入した際に、軸部２の周側面側に撓んで、返り部５ａの軸方向垂直断面径Ｐを貫通孔の伸長方向断面径よりも小さく縮径させることができるように構成する必要がある。このため、図１に示す実施例１に係る閉止蓋連結紐取付けアタッチメント１Ａでは、傘状の返り部５ａの、軸部２の一の端部２ａに接続されない側の端部にスリット６ａを形成して、あたかも傘が窄むように返り部５ａが変形するよう構成している。
なお、スリット６ａを形成しないで返り部５ａの軸方向垂直断面径Ｐを十分に縮径させることができるのであれば、スリット６ａは必ずしも必要ない。また、スリット６ａは、単なる切れ込みでもよい（図示せず）。
【００２６】
また、実施例１に係る閉止蓋連結紐取付けアタッチメント１Ａは、軸部２の他の端部２ｂに、この軸部２の軸方向垂直断面径Ｑよりも大きい軸方向垂直断面径Ｒを有する紐固定部４を備えている。このような紐固定部４を備えることで、軸部２の他の端部２ｂ又はその近傍に、例えば、図５，６に示すような円筒型カットアウト９Ａ，９Ｂにおける紐１４ａ，１４ｂを緊縛した際に、その結び目から軸部２が抜けるのを防止することができる。
【００２７】
上述のような実施例１に係る閉止蓋連結紐取付けアタッチメント１Ａの使用方法について図２を参照しながら説明する。
図２は本発明の実施例１に係る閉止蓋連結紐取付けアタッチメントの使用状態を示す部分断面図である。なお、図１，５，６に記載されたものと同一部分については同一符号を付し、その構成についての説明は省略する。
図２には、従来公知の円筒型カットアウト９Ａ（図５を参照）の本体部１０ａの下部開口１２ａ近傍に、本発明の実施例１に係る閉止蓋連結紐取付けアタッチメント１Ａを用いて、閉止蓋１３ａを備えた紐１４ａを取り付けた状態が示されている。
実施例１に係る閉止蓋連結紐取付けアタッチメント１Ａを用いて従来公知の円筒型カットアウト９Ａに、閉止蓋１３ａを備えた紐１４ａを取り付ける手順は下記に示す通りである。
はじめに、準備工程として、閉止蓋１３ａを備えた紐１４ａにおける、閉止蓋１３ａが取り付けられていない側の端部を、図１に示す閉止蓋連結紐取付けアタッチメント１Ａの軸部２の他の端部２ｂ又はその近傍（例えば、環状体からなる紐固定部４）に緊縛して固定しておく。
次に、閉止蓋１３ａを備えた紐１４ａを緊縛した閉止蓋連結紐取付けアタッチメント１Ａの軸部２を、間接工具である、例えば、図示しないホットスティック等で挟持して保持し、掛止構造３（返り部５ａ）を備えた軸部２の一の端部２ａ側を、円筒型カットアウト９Ａの本体部１０ａに設けられる紐挿通用孔１５ａに挿通して、その掛止構造３を紐挿通用孔１５ａから導出させればよい。
【００２８】
実施例１に係る閉止蓋連結紐取付けアタッチメント１Ａの、掛止構造３を備える軸部２の一の端部２ａ側を、円筒型カットアウト９Ａの紐挿通用孔１５ａに挿入すると、返り部５ａが紐挿通用孔１５ａの内壁と接触して押し縮められて、返り部５ａの軸方向垂直断面径Ｐが縮径する。そして、これにより、返り部５ａの紐挿通用孔１５ａ内の通過が可能になる。
そして、実施例１に係る閉止蓋連結紐取付けアタッチメント１Ａの返り部５ａが紐挿通用孔１５ａ内を通過して押圧力から開放されると、押し縮められていた傘状の返り部５ａが復元して、返り部５ａの軸方向垂直断面径Ｐの大きさが元に戻り、紐挿通用孔１５ａの開口部において返り部５ａが掛止構造を形成して、紐挿通用孔１５ａからの軸部２の抜け落ちを防止することができる。
これにより、従来公知の円筒型カットアウト９Ａに、本発明に係る閉止蓋連結紐取付けアタッチメント１Ａを介して、閉止蓋１３ａを備えた紐１４ａを固定することができる。
【００２９】
なお、実施例１に係る閉止蓋連結紐取付けアタッチメント１Ａは、閉止蓋を備える円筒型カットアウトであり、かつ、この円筒型カットアウトの本体部と閉止蓋とを連結紐（紐）で連結するタイプのもので、かつ、紐挿通用孔を備えるものあれば、図２に示す円筒型カットアウト９Ａ以外のもの（例えば、図６に示す従来公知の円筒型カットアウト９Ｂ）にも、軸部２の長さや掛止構造３である返り部５ａの軸方向垂直断面径Ｐを適宜変更することで支障なく使用することができる。
また、実施例１に係る閉止蓋連結紐取付けアタッチメント１Ａを用いて、従来公知の円筒型カットアウト（例えば、図５，６に示す円筒型カットアウト９Ａ，９Ｂ）に、閉止蓋（例えば、図５，６に示す閉止蓋１３ａ，１３ｂ）を備えた紐（例えば、図５，６に示す紐１４ａ，１４ｂ）を取り付ける際の閉止蓋とその連結紐の取り付け構造が、本発明に係る閉止蓋連結紐の取付け構造１８である（図２を参照）。
【００３０】
このような実施例１に係る閉止蓋連結紐取付けアタッチメント１Ａによれば、円筒型カットアウト（例えば、図５，６に示す円筒型カットアウト９Ａ，９Ｂ）を備えた電線における配電を停止することなく、その円筒型カットアウトの下部開口近傍に、閉止蓋（例えば、図５，６に示す閉止蓋１３ａ，１３ｂ）を備えた紐（例えば、図５，６に示す紐１４ａ，１４ｂ）を間接的に、間接工具のみを用いて固定することができる。
この結果、従来公知の円筒型カットアウトにおいて、閉止蓋を逸失した場合、又は、閉止蓋を備えた連結紐が切れた場合に、その電線の配電を停止することなしに、新たな閉止蓋を取り付けるメンテナンスを行なうことが可能になる。
これまで、従来公知の円筒型カットアウトにおいて、閉止蓋を逸失した場合は、その電線の配電を停止した上で、新たな閉止蓋を取り付けるか、あるいは、円筒型カットアウト全体を新しいものに交換する必要があったが、本発明に係る閉止蓋連結紐取付けアタッチメント１Ａを使用することでその必要性がなくなる。
よって、大電流遮断が起きていない従来公知の円筒型カットアウトに新たな閉止蓋を取り付けてそのまま利用できるだけでなく、従来公知の円筒型カットアウトに新たな閉止蓋を取り付けることを目的として行なわれる停電の頻度を減らすことができる。
【００３１】
ここで、実施例１に係る閉止蓋連結紐取付けアタッチメント１Ａを用いた閉止蓋連結紐の交換方法について再び図２を参照しながら説明する。
図２に示すような本発明の実施例１に係る閉止蓋連結紐の取付け構造１８において、閉止蓋１３ａを備えた紐１４ａが緊縛された閉止蓋連結紐取付けアタッチメント１Ａを、交換用の新たな閉止蓋１３ａを備えた新たな閉止蓋連結紐取付けアタッチメント１Ａに交換する手順は以下に示す通りである。
はじめに、引下線カッター等を用いて、図２に示す閉止蓋連結紐の取付け構造１８における閉止蓋連結紐取付けアタッチメント１Ａの軸部２の、紐１４ａの結び目の鉛直上方位置（例えば、図２中の符号Ｓで示す位置）を切断して、閉止蓋連結紐取付けアタッチメント１Ａの紐固定部４及びその近傍に緊縛される紐１４ａ、並びに、この紐１４ａに連結される閉止蓋１３ａ（閉止蓋１３ａが残存している場合）を分離除去する。
【００３２】
次に、間接工具である、例えば、ホットスティック等の挟持具により、円筒型カットアウト９Ａの紐挿通用孔１５ａから導出している閉止蓋連結紐取付けアタッチメント１Ａの掛止構造３（返り部５ａ）を挟持して引き抜いて、紐挿通用孔１５ａに残存している軸部２を除去する。
この作業により、円筒型カットアウト９Ａに取り付けられていた既存の閉止蓋連結紐取付けアタッチメント１Ａ、及び、閉止蓋１３ａを備えた又は逸失した既存の紐１４ａを完全に取除くことができる。しかも、この作業は、円筒型カットアウト９Ａを備えた電線による配電を停止させることなく行なうことができる。
そして、取り付けられていた既存の閉止蓋連結紐取付けアタッチメント１Ａ及び紐１４ａが完全に取除かれた円筒型カットアウト９Ａへの、交換用の新たな閉止蓋連結紐取付けアタッチメント１Ａ（交換用の新たな紐１４ａ及び閉止蓋１３ａを備えたもの）の取り付け手順は、先に述べた通りである。
このような実施例１に係る閉止蓋連結紐の取付け構造１８の交換方法によれば、電線における配電を停止することなく、円筒型カットアウト９Ａにおける既存の閉止蓋連結紐の取付け構造１８を、交換用の新たな閉止蓋連結紐の取付け構造１８に取り替えることができる。よって、円筒型カットアウト９Ａのメンテナンスを容易にかつ安価に実施することができる。
なお、上述の閉止蓋連結紐の取付け構造１８の交換方法は、図２に示すような円筒型カットアウト９Ａ以外にも、同様の構造を有する他の円筒型カットアウト（例えば、図６に示す円筒型カットアウト９Ｂなど）においても、同様の工具を用いて行なうことができる。
【００３３】
また、上述の閉止蓋連結紐の取付け構造１８の交換方法において、円筒型カットアウト９Ａの紐挿通用孔１５ａから既存の閉止蓋連結紐取付けアタッチメント１Ａを取り除く代わりに、閉止蓋連結紐取付けアタッチメント１Ａを用いることなく取り付けられた既存の紐１４ａを取り除いて、交換用の新たな閉止蓋連結紐取付けアタッチメント１Ａ（交換用の新たな紐１４ａ及び閉止蓋１３ａを備えたもの）を取り付けることもできる。
この場合は、例えば、図５に示す円筒型カットアウト９Ａの紐挿通用孔１５ａに取り付けられる既存の紐１４ａを、紐挿通用孔１５ａの鉛直下方側開口から導出される部分（図５中の符号Ｔで示す位置）を、例えば、引下線カッター等を用いて切断して、紐１４ａの大部分とそれに取り付けられている閉止蓋１３ａ（閉止蓋１３ａが残存している場合）を分離除去する。
この後、紐挿通用孔１５ａの鉛直上方側開口に導出している結び目１９を、間接工具である、例えば、ホットスティック等の挟持具で挟持して引き抜いて、紐挿通用孔１５ａに残存する紐１４を除去すればよい。
なお、円筒型カットアウト９Ａの閉止蓋１３ａを逸失している場合は、紐挿通用孔１５ａの鉛直上方側開口に導出している結び目１９を、間接工具である、例えば、ホットスティック等の挟持具で挟持して引き抜くだけで、既存の紐１４ａを除去できる場合もある。
【００３４】
また、既存の紐１４ａ（及び閉止蓋１３ａ）が除去された円筒型カットアウト９Ａの紐挿通用孔１５ａへの、閉止蓋連結紐取付けアタッチメント１Ａ（交換用の新たな紐１４ａ及び閉止蓋１３ａを備えたもの）の取り付け手順については先に述べた通りである。
よって、この場合も、円筒型カットアウト９Ａを備えた電線における配電を止めることなく、閉止蓋１３ａ備えた又は逸失した既存の紐１４ａを、新たな閉止蓋連結紐の取付け構造１８に置き換えることができる。
従って、円筒型カットアウト９Ａのメンテナンスを容易にかつ安価に実施することができる。
【００３５】
上述のような実施例１に係る閉止蓋連結紐取付けアタッチメント１Ａ及びそれを用いた閉止蓋連結紐の取付け構造１８及び閉止蓋連結紐の交換方法によれば、閉止蓋を紐で連結するタイプの従来公知の円筒型カットアウトに対して改造等を一切行なうことなく、しかも、このような円筒型カットアウトを備えた電線における配電を停止することなしに、新たな閉止蓋を備えた交換用の紐を取り付けることができる。
従って、従来公知の円筒型カットアウトをそのまま用いながら、そのメンテナンス作業を容易にし、かつ、その際のコストを安価にし、さらに、電力需要者側の負担も大幅に軽減できる。
より具体的には、大電流遮断が起こっていない円筒型カットアウトで、何らかの理由により閉止蓋を逸失したものの、その他の機能には問題がないものを、閉止蓋を備えた新しい交円筒型カットアウトにまるごと交換する必要がなくなる。このため、交円筒型カットアウトのメンテナンスコストを大幅に削減できる。
しかも、閉止蓋を逸失した円筒型カットアウトへの新たな閉止蓋の取り付けは、電線における配電を停止することなく行なうことができるので、閉止蓋を逸失した円筒型カットアウトのメンテナンスを行なう際に、従来のように停電させる必要がなくなる。これにより、電力需要者側の負担を大幅に軽減することができる。
【００３６】
ここで、実施例１に係る閉止蓋連結紐取付けアタッチメント１Ａの変形例について説明する。
図１，２では、紐固定部４として軸部２の他の端部２ｂに紐固定部４として環状体を備え、軸部２の他の端部２ｂに、例えば、円筒型カットアウト９Ａの閉止蓋１３ａを備えた紐１４ａの端部を緊縛して固定する場合を例に挙げて説明しているが、蓋１３ａを備えた紐１４ａは紐固定部４である環状体に緊縛しても良い。
また、例えば、閉止蓋１３ａを備えた紐１４ａを、閉止蓋連結紐取付けアタッチメント１Ａの軸部２の他の端部２ｂに緊縛して固定する場合に、閉止蓋連結紐取付けアタッチメント１Ａの下に垂下させる紐１４ａを、紐固定部４である環状体の中空部内に挿入しておいてもよい。この場合、紐固定部４である環状体により、垂下する紐１４ａの揺動が緩衝されて、紐１４ａが損傷するリスクを低減できる。
【００３７】
なお、図１，２では、紐固定部４を環状体としているが、紐固定部４の形状を環状体に限定する必要は特になく、中空部を備えない球形や、楕円形、立方体形、棒状体形等の任意の形状であってもよい。いずれの場合も、紐固定部４の軸部２の軸方向垂直断面径Ｒ（図１を参照）を、軸部２の軸方向垂直断面径Ｑよりも大きく設定することで、軸部２の他の端部２ｂに、閉止蓋１３ａを備えた紐１４ａを緊縛した際に、この結び目部分から軸部２が抜けて外れるのを防止することができる。
また、実施例１に係る閉止蓋連結紐取付けアタッチメント１Ａでは、閉止蓋１３ａを備えた紐１４ａを閉止蓋連結紐取付けアタッチメント１Ａに緊縛して直接固定する場合を例に挙げて説明しているが、これ以外の紐１４ａの固定方法としては、例えば、閉止蓋１３ａを備えた紐１４ａの端部にも環状構造を形成しておき、閉止蓋連結紐取付けアタッチメント１Ａの紐固定部４である環状体と、紐１４ａの端部に形成される環状構造とを、クリップ等の環状具を用いて間接的に固定してもよい。この場合も、軸部２に紐１４ａを直接緊縛した場合と同様の効果が発揮される。
【実施例２】
【００３８】
本発明の実施例２に係る閉止蓋連結紐取付けアタッチメントについて図３を参照しながら説明する。
図３（ａ）は本発明の実施例２に係る閉止蓋連結紐取付けアタッチメントの側面図であり、（ｂ）は図３中のＢ−Ｂ線断面図である。（ｃ）は図３中の符号Ｃで示す方向から見た矢視図である。なお、図１，２，５，６に記載されたものと同一部分については同一符号を付し、その構成についての説明は省略する。
実施例２に係る閉止蓋連結紐取付けアタッチメント１Ｂは、上述の実施例１に係る閉止蓋連結紐取付けアタッチメント１Ａと同等の作用、効果を有するものであるが、掛止構造３の構造が異なっている。
より具体的には、実施例２に係る閉止蓋連結紐取付けアタッチメント１Ｂは、軸部２の他の端部２ｂに形成される矢印形の返り部５ｂに、その中心軸を通過して形成されるスリット６ｂを有するものである。
【００３９】
図３（ｃ）に示すように、実施例２に掛る閉止蓋連結紐取付けアタッチメント１Ｂの一例としてここでは、掛止構造３である返り部５ｂに十字状に２つのスリット６ｂが形成されている場合を例に挙げて説明しているが、これよりも多くのスリット６ｂを形成しておくこともできる。
ただし、スリット６ｂの数が多くなるほど、返り部５ｂを紐挿通用孔に掛止する際の強度が低下するので、返り部５ｂを、円筒型カットアウトの紐挿通用孔に掛止させる際の強度を考慮してスリット６ｂの数がなるべく少なくなるよう設定することが好ましい。なお、掛止構造３である返り部５ｂ形成されるスリット６ｂは、一文字状に１つのみでもよい。
【００４０】
上述のような実施例２に係る閉止蓋連結紐取付けアタッチメント１Ｂは、先に述べた実施例１に係る閉止蓋連結紐取付けアタッチメント１Ａと同様に使用することができる。
すなわち、実施例２に係る閉止蓋連結紐取付けアタッチメント１Ｂの掛止構造３である返り部５ｂを、例えば、図５に示すような円筒型カットアウト９Ａの紐挿通用孔１５ａに挿通させると、閉止蓋連結紐取付けアタッチメント１Ｂの返り部５ｂの周縁が、紐挿通用孔１５ａの内壁と接触して押し縮められて、返り部５ｂの軸方向垂直断面径Ｐが縮径して、紐挿通用孔１５ａ内の通過が可能になる。
そして、返り部５ｂが紐挿通用孔１５ａを通過して、その鉛直上方側の開口から導出されると、返り部５ｂの軸方向垂直断面径Ｐが復元して、紐挿通用孔１５ａの鉛直上方側の開口に返り部５ｂが掛止することで、円筒型カットアウト９Ａの紐挿通用孔１５ａに閉止蓋連結紐取付けアタッチメント１Ｂが固定される。
このような実施例２に係る閉止蓋連結紐取付けアタッチメント１Ｂは、実施例２に係る閉止蓋連結紐取付けアタッチメント１Ａと同様の作用、効果を有している。
【実施例３】
【００４１】
本発明の実施例３に係る閉止蓋連結紐取付けアタッチメントについて図４を参照しながら説明する。
図４（ａ）は本発明の実施例３に係る閉止蓋連結紐取付けアタッチメントの側面図であり、（ｂ）は図４中のＤ−Ｄ線断面図である。なお、図１乃至図３，図５，６に記載されたものと同一部分については同一符号を付し、その構成についての説明は省略する。
実施例３に係る閉止蓋連結紐取付けアタッチメント１Ｃは、実施例１，２に係る閉止蓋連結紐取付けアタッチメント１Ａ，１Ｂと同等の機能を有するものであるが、これらと形態の異なる掛止構造３を有するものである。
より具体的には、実施例３に係る閉止蓋連結紐取付けアタッチメント１Ｃは、細棒状の軸部２の一の端部２ａがそのまま延長されるとともに、この延長部分の内部の中心軸上に、剛性と可撓性を有する芯材７が埋設されるものである。
このような実施例３に係る閉止蓋連結紐取付けアタッチメント１Ｃは、図４に示すように、軸部２の一の端部２ａに延設される掛止構造３を折り曲げて屈曲部８を形成して鉤状にして、紐挿通用孔１５ａの開口部にこの鉤状部分を掛止させて使用するものである。
【００４２】
上述のような実施例３に係る閉止蓋連結紐取付けアタッチメント１Ｃの使用方法は、実施例１，２に係る閉止蓋連結紐取付けアタッチメント１Ａ，１Ｂと概ね同じであるが、実施例３に係る閉止蓋連結紐取付けアタッチメント１Ｃの場合は、実施例１，２に係る閉止蓋連結紐取付けアタッチメント１Ａ，１Ｂのように返り部５ａ，５ｂを備えていないので、掛止構造３を鉤状に折り曲げる作業が別途必要になる。
より具体的には、実施例３に掛る閉止蓋連結紐取付けアタッチメント１Ｃの軸部２の一の端部２ａ側に延設される掛止構造３を、例えば、図５に示すような円筒型カットアウト９Ａの紐挿通用孔１５ａに挿通した後、紐挿通用孔１５ａから導出された掛止構造３を、間接工具である、例えば、ホットスティック等で挟持して折り曲げて鉤状に成形してやる必要がある。
このように、円筒型カットアウトの紐挿通用孔に挿通させた掛止構造３を人為的に変形させることによっても本発明に掛る閉止蓋連結紐取付けアタッチメントを円筒型カットアウトに掛着させることができる。
このような実施例３に係る閉止蓋連結紐取付けアタッチメント１Ｃも、実施例１，２に係る閉止蓋連結紐取付けアタッチメント１Ａ，１Ｂと同様の作用、効果を有している。
【００４３】
最後に、実施例１乃至実施例３に係る閉止蓋連結紐取付けアタッチメント１Ａ−１Ｃに共通する技術的特徴について説明を加える。
実施例１乃至実施例３に係る閉止蓋連結紐取付けアタッチメント１Ａ−１Ｃのそれぞれは、合成樹脂を成形することで容易に量産できる。
この場合、実施例１乃至実施例３に係る閉止蓋連結紐取付けアタッチメント１Ａ−１Ｃを廉価に量産できるというメリットに加え、掛止構造３に可撓性を付与しつつ、閉止蓋連結紐取付けアタッチメント１Ａ−１Ｃを絶縁体にできるというメリットを有する。
ただし、実施例３に係る閉止蓋連結紐取付けアタッチメント１Ｃの芯材７は、強度や変形容易性を考えると金属とすることが望ましい。このため、実施例３に係る閉止蓋連結紐取付けアタッチメント１Ｃの場合は、軸部２及び紐固定部４を合成樹脂製とし、この軸部２の中心軸部分に金属製の芯材７を埋設しておくとよい。
なお、実施例３に係る閉止蓋連結紐取付けアタッチメント１Ｃの場合は、芯材７を金属により構成しても、この芯材７は合成樹脂中に封止されるので、閉止蓋連結紐取付けアタッチメント１Ｃは全体としては絶縁体になる。
【００４４】
図５，６に示すような従来公知の円筒型カットアウト９Ａ，９Ｂでは、電線１７ａ，１７ｂの近傍に、紐挿通用孔１５ａ，１５ｂが配置される場合が多い。
この場合、紐挿通用孔１５ａ，１５ｂに挿入される閉止蓋連結紐取付けアタッチメント１Ａ−１Ｃが導電体により構成されていると、掛止構造３の挿入作業時に電線１７ａ，１７ｂに閉止蓋連結紐取付けアタッチメント１Ａ−１Ｃが接触する恐れがあり危険である。
従って、実施例１乃至実施例３に係る閉止蓋連結紐取付けアタッチメント１Ａ−１Ｃは、絶縁体であることが望ましい。
【産業上の利用可能性】
【００４５】
以上説明したように本発明は、円筒型状に成形された本体部の内部にヒューズ管を内蔵する円筒型カットアウトの下部開口近傍と閉止蓋とを連結する紐の端部を、紐挿通用孔に間接的に固定できる閉止蓋連結紐取付けアタッチメントおよびそれを用いた閉止蓋連結紐の取付け構造および閉止蓋連結紐の交換方法であり、電力供給設備に関する技術分野において利用可能である。
【符号の説明】
【００４６】
１Ａ〜１Ｃ…閉止蓋連結紐取付けアタッチメント  ２…軸部  ２ａ…一の端部  ２ｂ…他の端部  ３…掛止構造  ４…紐固定部  ５ａ，５ｂ…返り部  ６ａ，６ｂ…スリット  ７…芯材  ８…屈曲部  ９Ａ，９Ｂ…円筒型カットアウト  １０ａ，１０ｂ…本体部  １１ａ，１１ｂ…ヒューズ管  １２ａ，１２ｂ…下部開口  １３ａ，１３ｂ…閉止蓋  １４ａ，１４ｂ…紐  １５ａ，１５ｂ…紐挿通孔  １６ａ，１６ｂ…電線  １７ａ，１７ｂ…電線  １８…閉止蓋連結紐の取付け構造  １９…結び目  Ｐ…返り部径  Ｑ…軸部径  Ｒ…紐固定部径  Ｓ，Ｔ…切断部位
【要約】
【課題】電線の配電を停止することなく、円筒型カットアウトの本体部の下部開口近傍に、閉止蓋を連結する紐を取付けることができる閉止蓋連結紐取付けアタッチメントを提供する。
【解決手段】高圧カットアウト９Ａの下部開口近傍１２ａに形成される紐挿通孔１５ａに挿通される軸部２と、この軸部２の一の端部２ａに設けられて，可撓性を有し，紐挿通孔１５ａの開口部に掛止して紐挿通孔１５ａからの軸部２の抜け落ちを防止する掛止構造３と、軸部２の他の端部，又は，その近傍に設けられ，軸部２の軸方向垂直断面径Ｑよりも大きい軸方向垂直断面径Ｒを有する紐固定部４とを有することを特徴とする閉止蓋連結紐取付けアタッチメント１Ａによる。
【選択図】図２【図１】
0005461669.tif 000002
【図２】
0005461669.tif 000003
【図３】
0005461669.tif 000004
【図４】
0005461669.tif 000005
【図５】
0005461669.tif 000006
【図６】
0005461669.tif 000007